(57)【特許請求の範囲】
【請求項１】
ボディ（１２）を備える手動装置（１０）であって、
前記装置は、前記ボディ（１２）に取り付けられた少なくとも１つのリバーシブルの先端部（１４）を備え、
前記リバーシブルの先端部（１４）は、第１ヘッド（１６）と前記第１ヘッド（１６）の反対側にある第２ヘッド（１８）とを備え、前記先端部（１４）は、前記第１ヘッド（１６）が前記ボディ（１２）から突出する一方で前記第２ヘッド（１８）が前記ボディ（１２）の内部に収められる第１状態、または、前記第２ヘッド（１８）が前記ボディ（１２）から突出する一方で前記第１ヘッド（１６）が前記ボディ（１２）の内部に収められる第２状態で前記ボディ（１２）に取り付けられるように構成され、
前記第１ヘッド（１６）は、容量性スクリーン用の第１パッド（２０）を備え、
前記第２ヘッド（１８）は、容量性スクリーン用の第２パッド（２２）を備えることを特徴とする、手動装置。
【請求項２】
前記第１パッド（２０）は、前記第２パッド（２２）とは異なっている、請求項１に記載の装置（１０）。
【請求項３】
前記第１パッド（２０）は、前記先端部が前記第１状態で取り付けられている場合に、前記ボディ（１２）の少なくとも一部と電気的に接触している、請求項１又は２に記載の装置（１０）。
【請求項４】
前記第２パッド（２２）は、前記先端部が前記第２状態で取り付けられている場合に、前記ボディ（１２）の少なくとも一部と電気的に接触している、請求項１〜３のいずれか一項に記載の装置（１０）。
【請求項５】
前記先端部（１４）は、前記先端部（１４）が前記第１状態で取り付けられている場合に、前記先端部（１４）と前記ボディ（１２）の少なくとも一部との間に電気的接触を生じさせるように構成された少なくとも１つの接触部材（１９ｅ）を備える、請求項１〜４のいずれか一項に記載の装置（１０）。
【請求項６】
前記先端部（１４）は、前記先端部が前記第２状態で取り付けられている場合に、前記先端部（１４）と前記ボディ（１２）の少なくとも一部との間に電気的接触を生じさせるように構成された少なくとも１つの接触部材（１９ｆ）を備える、請求項１〜５のいずれか一項に記載の装置（１０）。
【請求項７】
前記先端部（１４）は、前記第１ヘッド（１６）および／または前記第２ヘッド（１８）が嵌め込まれる伝導性のケーシング（１９）を備える、請求項１〜６のいずれか一項に記載の装置（１０）。
【請求項８】
前記ケーシング（１９）は、軸方向（Ｘ）に延び、前記第１ヘッド（１６）および前記第２ヘッド（１８）のうちの一方のヘッドが、ケーシング軸方向第１部分（１９ａ）とケーシング軸方向第２部分（１９ｂ）とを軸方向において区切る第１肩部（１９ｃ）と協働し、該ヘッドは、前記ケーシング軸方向第１部分（１９ａ）内を延びて前記ケーシング（１９）から突出している、請求項７に記載の装置（１０）。
【請求項９】
前記ヘッドは、該ヘッドと前記ケーシング（１９）との間に電気的接触を確保するように前記第１肩部（１９ｃ）と協働する肩部（２２ｄ）を形成する基部（２２ｃ）を備える、請求項８に記載の装置（１０）。
【請求項１０】
前記基部（２２ｃ）は、前記第１肩部（１９ｃ）と、前記第１ヘッド（１６）および前記第２ヘッド（１８）のうちの他方のヘッドとの間に閉じ込められる、請求項９に記載の装置（１０）。
【請求項１１】
前記第１ヘッド（１６）および前記第２ヘッド（１８）のうちの他方のヘッドは、支持体（２１）と容量性スクリーン用のパッド（２０）とを備え、前記パッド（２０）は、前記ケーシング（１９）と電気的に接触するように前記支持体（２１）に取り付けられている、請求項８〜１０のいずれか一項に記載の装置（１０）。
【請求項１２】
前記ケーシング（１９）は、スカート部（１９ｄ）を備え、前記他方のヘッドの前記パッド（２０）は、少なくとも一部が前記スカート部（１９ｄ）内に嵌め込まれて前記スカート部（１９ｄ）と接触している、請求項１１に記載の装置（１０）。
【請求項１３】
前記ボディ（１２）は、軸方向（Ｘ）に延び、かつ、前記先端部（１４）が取り付けられる第１遠位端（１２ａ）を有する、請求項１〜１２のいずれか一項に記載の装置（１０）。
【請求項１４】
前記ボディ（１２）は、前記第１遠位端（１２ａ）の反対側にある第２遠位端（１２ｂ）を有し、前記第２遠位端（１２ｂ）は、筆記用先端部またはその等価物を有する、請求項１３に記載の装置（１０）。
【発明の詳細な説明】
【技術分野】
【０００１】
本発明は、容量性スクリーン用の先端部を有する手動装置に関する。このような容量性スクリーン用の先端部は、容量性スクリーンの任意の点における先端部の存在を容量性スクリーンが検知できるようにスクリーンに干渉／相互作用可能である。容量性スクリーンは、例えば、マルチメディアタブレットのスクリーンまたは携帯電話のスクリーンである。
【背景技術】
【０００２】
容量性スクリーンを使用するためには、容量性スクリーン用のスタイラスが必要であることが多い。しかし、このようなスタイラスは、所定の容量性スクリーン用の単一のヘッドを有する特殊な器具であり、高価である。
【発明の概要】
【発明が解決しようとする課題】
【０００３】
本発明の目的は、上述の欠点を少なくとも実質的に解消することである。
【課題を解決するための手段】
【０００４】
本発明は、ボディとボディに取り付けられた少なくとも１つのリバーシブルの先端部とを備える手動装置であって、リバーシブルの先端部は、第１ヘッドと第１ヘッドの反対側にある第２ヘッドとを備え、先端部は、第１ヘッドがボディから突出する一方で第２ヘッドがボディの内部に収められる第１状態、または、第２ヘッドがボディから突出する一方で第１ヘッドがボディの内部に収められる第２状態でボディに取り付けられるように構成され、第１ヘッドは容量性スクリーン用の第１パッドを備える手動装置を提供することによって上記目的を達成する。手動装置は、有利には、例えばスタイラス、ペン、シャープペンシル、またはその等価物などのオフィス機器（またはオフィス付属品）を構成する。
【０００５】
当然ながら、先端部が第１状態でボディに取り付けられている場合に第１ヘッドが使用可能であり、一方、先端部が第２状態で取り付けられている場合に第２ヘッドが使用可能である。一方のヘッドが使用可能である場合、他方のヘッドはボディの内部に配置される。すなわち、ボディは少なくとも部分的に中空であり、先端部の第２状態では第１ヘッドを、第１状態では第２ヘッドを収容するように構成されている。従って、このボディによって、一方のヘッドが使用可能であるときに他方のヘッドを「しまい込む」ことが可能になる。ボディは、そのようにしまい込まれたヘッドを保護する役割を果たす。本発明の文脈では、「ボディ」という用語は、概して、先端部の部分を構成しない全ての要素の集合体を指す。
【０００６】
パッドは容量性スクリーンと相互作用するように構成された末端部であることが理解できる。パッドは、（パッドを形成している材料のおかげで、または、コーティングのおかげで）導電性である。パッドが容量性スクリーンと相互作用可能である限り、すなわち、パッドがスクリーンに接触していることをスクリーンが検知できる限り、パッドの形状、柔軟性／剛性、および材料は限定されない。
【０００７】
ボディの全体または一部が手動装置の把持部を構成する。先端部は、使用者がそれを第１状態または第２状態でボディに取り付けることができるように構成されている。よって、使用者の選択に応じて、先端部を第１状態または第２状態でボディに取り付けることができ、このように選択されてボディから突出しているヘッドを用いるために、手動装置をボディを介して操作して使用できる。
【０００８】
先端部が２つのヘッドを有し、第１ヘッドが容量性スクリーン用のパッドを備えているため、第１ヘッドを用いることで手動装置を容量性スクリーンと併用でき、その一方で、第２ヘッドにより、手動装置を例えば別の状況で（例えば第２ヘッドが消しゴムを支持している場合には消すために）使用することが可能になる。
【０００９】
従って、本手動装置は、先行技術の公知の装置と比べて、汎用性が高い、あるいは、特殊性が低い。このような手動装置は、ただ１つの装置で２つの「道具」を有する「二機能一体型」装置である。このような装置の全体のコストは、ヘッドの一方に相当する「道具」をそれぞれ構成する２つの別々の従来装置の総コストと比べて低い。
【００１０】
有利には、第２ヘッドが容量性スクリーン用の第２パッドを備える。
【００１１】
当然ながら、第２パッドは第１パッドとは別体である。好ましくは、第２パッドが第１パッドとは異なっている。例えば、第１パッドと第２パッドとは、サイズ、および／または容量性スクリーンとの接触面積、および／または形状、および／または材料、および／または剛性などが異なっている。
【００１２】
この場合、手動装置は、異なる容量性スクリーンの使用を可能にする２つの別々のパッドを有する。よって、手動装置の容量性スクリーンの使用についての多用途性が向上する。例えば、第１パッドおよび第２パッドの接触面積は、様々な精度の容量性スクリーンに適合されている。この場合、例えば、接触面積が最も大きいパッドがマルチメディアタブレットの容量性スクリーンと併用され、一方、接触面積が小さい方のパッドが携帯電話の容量性スクリーンと併用される。マルチメディアタブレットのスクリーンは一般に携帯電話のスクリーンと比べて精度が低い。
【００１３】
有利には、第１パッドは、先端部が第１状態で取り付けられている場合に、ボディの少なくとも一部と電気的に接触している。
【００１４】
有利には、第２パッドは、先端部が第２状態で取り付けられている場合に、ボディの少なくとも一部と電気的に接触している。
【００１５】
「ボディの少なくとも一部」という表現は、先端部の部分を構成していない手動装置の任意の部分を指す。例えば、この部分は、例えば把持部などの手動装置の外側部分、または手動装置の内側部分である。
【００１６】
第１パッドまたは第２パッドとボディまたはボディの一部との間の電気的接触は、直接的であってもよく、間接的であってもよい。よって、一実施形態では、第１パッドまたは第２パッドがボディの一部と直接的に接触している。別の実施形態では、第１パッドまたは第２パッドが、ボディまたはボディの一部と中間部品を介して電気的に接触している。
【００１７】
このような電気的接触により、使用者が手動装置を手で操作して第１パッドまたは第２パッドを容量性スクリーンに近づけた際に、容量性スクリーンが該パッドの存在を感知できる。
【００１８】
有利には、ボディが少なくとも１つの伝導性部分を有し、先端部が第１状態または第２状態で取り付けられている場合に、第１パッドまたは第２パッドがボディの少なくとも１つの伝導性部分と電気的に接触している。
【００１９】
以下、異なる説明がない限り、「伝導性」という用語は、「電気を伝導可能」の意として理解されるべきである。一方、「絶縁性」という用語は、以下、異なる説明がない限り、「電気に対して絶縁性」の意として理解されるべきである。
【００２０】
一実施形態では、伝導性部分はボディの把持部である。別の実施形態では、伝導性部分は、例えば内部の伝導性ロッドなどのボディの内側部分（すなわち、使用者の手で直接把持されるのではない部分）である。さらに別の実施形態では、ボディは、内部の伝導性部分と伝導性の把持部とを有する。
【００２１】
有利には、先端部は、先端部が第１状態で取り付けられている場合に、先端部とボディの少なくとも一部との間に電気的接触を生じさせるように構成された少なくとも１つの接触部材（または第１接触部材）を備える。
【００２２】
有利には、先端部は、先端部が第２状態で取り付けられている場合に、先端部とボディの少なくとも一部との間に電気的接触を生じさせるように構成された少なくとも１つの接触部材（または第２接触部材）を備える。
【００２３】
第１接触部材と第２接触部材とは単一体を構成していてもよく、それら接触部材は２つの別々の部材を構成していてもよい。
【００２４】
当然ながら、接触部材は、先端部とボディの少なくとも一部との間に電気的接触を生じさせることを可能にする要素である。一実施形態では、このような接触部材は、先端部と単一の部品を構成する。別の実施形態では、このような部材は、先端部とは別の部品を構成する。
【００２５】
このような接触部材を用いれば、先端部が第１状態または第２状態で取り付けられている場合に、第１パッドまたは第２パッドをボディの少なくとも一部と電気的に接触させることがより容易である。
【００２６】
有利には、先端部は、第１ヘッドおよび／または第２ヘッドが嵌め込まれる伝導性のケーシングを備える。
【００２７】
当然ながら、ケーシングは、第１ヘッドおよび／または第２ヘッドを収容する内部筐体を有している。ケーシングが、例えば金属でできており、伝導性であるため、まず第１ヘッドおよび／または第２ヘッドとケーシングとの間に、ひいてはケーシングとボディの少なくとも一部との間に、電気的接触を容易に確保できる。
【００２８】
有利には、ケーシングは、軸方向に延び、第１ヘッドおよび第２ヘッドのうちの一方のヘッドがケーシング軸方向第１部分とケーシング軸方向第２部分とを軸方向において区切る第１肩部と協働し、該ヘッドは、ケーシング軸方向第１部分内を延びてケーシングから突出する。
【００２９】
軸方向において、ケーシングは、第１部分と第２部分とを有する。ケーシングの第１部分と第２部分とは第１肩部によって隔てられている。２つのヘッドのうちの一方は、ケーシングに、より詳細にはケーシング軸方向第１部分に嵌め込まれることによって取り付けられ、例えば、第１肩部に接してまたは押しつけられて第１肩部と協働する。このように組み付けることで、該ヘッドとケーシングとの間に電気的接触を容易に確保できる。
【００３０】
有利には、上記ヘッドは、該ヘッドとケーシングとの間に電気的接触を確保するように第１肩部と協働する肩部を形成する基部を備える。
【００３１】
基部は、第１肩部と協働するように構成された上記ヘッドの部分を含んでいる。例えば、基部は、伝導性であり、第１肩部に押しつけられて第１肩部と協働する。これにより、ケーシングも伝導性であるため、電気的接触が確保される。一実施形態では、基部は伝導性ではないが、第１肩部または第１肩部の相補的な接触部と協働する少なくとも１つの接触部を有する。別の実施形態では、基部は伝導性であり、かつ、少なくとも１つの接触部を有する。
【００３２】
有利には、基部は、第１肩部と、第１ヘッドおよび第２ヘッドのうちの他方のヘッドとの間に閉じ込められる。
【００３３】
基部は、第１肩部と第２ヘッドとの間に挟まれる第１ヘッドの部分を含んでいる。このような組み付けにより、電気的接触を確保しながら、第１ヘッドのケーシングへの簡易で有効な機械的取り付けを行うことが可能になる。有利には、例えば他方のヘッドをケーシングに圧入するなどして、他方のヘッドをケーシングに固定することによって、２つのヘッドのケーシングへの組み付けが固定される。
【００３４】
有利には、第１ヘッドおよび第２ヘッドのうちの他方のヘッドは、支持体と容量性スクリーン用のパッドとを備え、該パッドは、ケーシングと電気的に接触するように支持体に取り付けられている。
【００３５】
当然ながら、支持体とパッドとは２つの別々の部品を構成する。上記他方のヘッドが第１ヘッドである場合には、該パッドが第１パッドである。上記他方のヘッドが第２ヘッドである場合には、該パッドが第２パッドである。パッドとケーシングとの間の接触は、パッドがケーシングに物理的に接することで直接的になされてもよく、または、例えば支持体を介すなどして間接的になされてもよい。好ましくは、パッドがケーシングに直接的に接触している。この場合、別々の部品同士の接触の数を制限でき、それにより、不良のリスクが低減される。
【００３６】
有利には、ケーシングは、スカート部を備え、上記他方のヘッドのパッドは、少なくとも一部がスカート部に嵌め込まれてスカート部と接触している。
【００３７】
当然ながら、パッドは、該パッドを使用できるようにスカート部から突出した状態でスカート部に嵌め込まれている。パッドは、ケーシングのスカート部を介してケーシングと接触している。有利には、スカート部は、ケーシングと単一の部品を構成する。一実施形態では、パッドの少なくとも一部が、スカート部と支持体との間に閉じ込められ、それにより、スカート部とパッドとの間に直接的な接触が生じる。
【００３８】
有利には、先端部は、先端部の第１状態および第２状態においてボディと協働する少なくとも１つの突起を備える。
【００３９】
このような突起により、手動装置の使用時に先端部の位置を適所に維持できる。特に、この突起により、第１ヘッドまたは第２ヘッドを押さえる際に先端部がボディに対して相対的に移動することを防止できる。さらに、一実施形態では、この突起により、先端部とボディの少なくとも一部との間に電気的接触を確保することも可能になる。
【００４０】
同一の突起が第１状態および第２状態の両方においてボディと協働するため、先端部の構造を簡素化できる。これにより、製造コストを最適化できる。
【００４１】
有利には、ボディが第１接続部を備え、一方、先端部は、第１状態で取り付けられる場合に第１接続部と協働する第２接続部（または１つ目の第２接続部）と、第２状態で取り付けられる場合に第１接続部と協働する別の第２接続部（または２つ目の第２接続部）とを備える。
【００４２】
よって、先端部をボディに取り付けるための接続部が、ボディに連結される１つの第１部分と、同一のものではあるが別体であることが好ましい２つの第２部分とを含み、それにより、先端部を第１状態および第２状態の両方で取り付けることが可能になることが理解される。例えば、第１部分と２つの第２部分とは、スナップ嵌め機構のための互いに相補的な要素を構成する。スナップ嵌めとは、嵌め合わせと弾性変形（通常は、例えば舌状部の局所変形）とによって２つの部分を組み合わせる方法である。２つの部分をスナップ嵌め位置で嵌め合わせると、それら部分は、通常、初期の形状に戻り、何ら弾性変形していない状態になる（あるいは弾性変形がより少ない状態になる）。２つの部分をスナップ嵌め位置で互いに嵌め合わせると、それら部分は、脱離方向（嵌め合わせ方向とは反対の方向）への互いの相対的な移動を抑制する、あるいは阻止するように互いに協働する。スナップ嵌め位置では、２つの部分同士はさらに、スナップ嵌め位置を超えてさらに深く嵌り合う方向への互いの相対的な移動を抑制する、あるいは阻止するように協働してもよい。別の例では、第１部分と２つの第２部分とが互いに相補的なねじ固定要素を構成する。
【００４３】
有利には、ボディは、軸方向に延び、かつ、先端部が取り付けられる第１遠位端を有する。
【００４４】
当然ながら、先端部が軸方向に延びるケーシングを備える場合、ボディの軸方向と先端部の軸方向とは平行である。好適には、ボディとケーシングとが軸方向において同軸である。縦長の（すなわち、軸方向に延びる）ボディが容量性スクリーン用の先端部の操作に関して人間工学的に有利である。
【００４５】
有利には、ボディは、第１遠位端の反対側にある第２遠位端を有し、第２遠位端は、筆記用先端部またはその等価物を有する。
【００４６】
例えば、筆記用先端部またはその等価物とは、ボールポイント、フェルトペン先端部、シャープペンシル先端部、抵抗性スクリーン用の硬質の先端部、パンチの先端部、または他の何らかの手動装置の先端部である。
【００４７】
この場合、手動装置は、第１端部がリバーシブルの先端部を有し、第２端部が筆記用先端部またはその等価物を有する「三機能一体型」装置となる。
【００４８】
さらに別の例では、本発明のリバーシブルの先端部がさらにもう１つ第２遠位端に取り付けられる。この場合、手動装置は、「四機能一体型」装置となる。
【００４９】
本発明およびその利点が、非限定的な例として提示される本発明の種々の実施形態に関する詳細な説明を読むことでよりよく理解できる。以下の説明では、添付の図面を参照する。
【図面の簡単な説明】
【００５０】
【図１】図１は、先端部が第１状態でボディに取り付けられている場合の斜視図で見た第１実施形態の手動装置を示す。
【図２】図２は、先端部が第２状態でボディに取り付けられている場合の図２の手動装置を示す。
【図３】図３は、先端部を支持する手動装置の遠位端の先端部を外した状態の詳細図である。
【図４】図４は、先端部を分解図で示した図１と同様の図を示す。
【図５】図５は、先端部を分解図で示した図２と同様の図を示す。
【図６】図６は、先端部が第１状態で取り付けられている場合の手動装置の軸方向部分断面図である。
【図７】図７は、先端部が第２状態で取り付けられている場合の手動装置の軸方向部分断面図である。
【発明を実施するための形態】
【００５１】
手動装置の第１実施形態を図１〜図７を参照して説明する。図１および図６では、先端部が第１状態で取り付けられており、一方、図２および図７では、先端部が第２状態で取り付けられている。ただし、先端部の取り付け状態の「第１」または「第２」状態という番号付けはあくまで恣意的である。よって、図１および図６が第２状態の先端部を示し、図２および図７が第１状態の先端部を示していると考えることもできる。この場合には、ヘッドやパッドなどの番号付けも以下の説明のものとは反対になる。
【００５２】
手動装置１０は、軸方向Ｘに沿って縦に延びるボディ１２を備え、ボディ１２は、第１遠位端１２ａと、軸方向Ｘにおいて第１遠位端１２ａの反対側にある第２遠位端１２ｂとを有する。
【００５３】
第１遠位端１２ａにはリバーシブルの先端部１４が設けられ、一方、第２遠位端１２ｂには、この例ではボールペンである筆記用先端部（図示せず）が設けられている。一実施形態では、筆記用先端部がシャープペンシル先端部、フェルトペン先端部、またはその等価物であってもよいことはもちろんである。
【００５４】
リバーシブルの先端部１４は、軸方向Ｘに沿って縦に延び、第１ヘッド１６と、軸方向Ｘにおいて第１ヘッド１６の反対側にある第２ヘッド１８とを備える。先端部１４は、第１ヘッド１６および第２ヘッド１８が嵌め込まれる、金属（この例ではアルミニウム）でできたケーシング１９を備える。
【００５５】
先端部１４の第１状態では、第１ヘッド１６がボディ１２から突出し、一方、第２ヘッド１８はボディ１２内に収められている。逆に、図２、図５、および図７における先端部１４の第２状態では、第２ヘッド１８がボディ１２から突出し、一方、第１ヘッド１６はボディ１２内に収められている。
【００５６】
第１ヘッド１６は、容量性スクリーン用の第１パッド２０を備え、第２ヘッド１８は、容量性スクリーン用の第２パッド２２を備える。第１パッド２０および第２パッド２２は伝導性材料でできており、この例では、カーボンブラック粒子で充填されたシリコンでできている。一実施形態では、例えば、第２ヘッドが第２パッドではなく消しゴムを有し、該消しゴムは第２パッド２２と同じ形状を有し得る。
【００５７】
第１パッド２０は、支持体２１に取り付けられている。第１パッド２０は、容量性スクリーンと協働するための遠位端２０ａを有し、この端部２０ａは、この例では、実質的に中空の半球状である。端部２０ａは、実質的に中空のシリンダー状である固定部２０ｂの延長上にある。固定部２０ｂは、固定部２０ｂの自由端近傍でかつ固定部２０ｂの内側に配置されたカラー２０ｃを有する。カラー２０ｃは、支持体２１に形成された環状の溝２１ａとスナップ嵌めによって協働する。
【００５８】
支持体２１は、第１パッド２０と支持体２１との間にできる空間の内部の圧力と該空間の外部の圧力とのバランスを取るための通気口を形成するように、縦方向Ｘに沿った貫通孔２１ｂを有する。
【００５９】
第２パッド２２は、容量性スクリーンと協働するための遠位端２２ａを有し、この端部２２ａは、この例では、実質的に中実の半球状である。端部２２ａは、実質的に中実のシリンダー状である固定部２２ｂの延長上にある。この固定部２２ｂは、端部２２ａと基部２２ｃとの間を軸方向に延びている。基部２２ｃは、固定部２２ｂに対して径方向外側へ突出する環状のカラーを形成している。基部２２ｃのカラーの面のうち、固定部２２ｂ側に位置している面が肩部２２ｄとなる。
【００６０】
この例では、ケーシング１９は、軸方向Ｘに延び、軸Ｘまわりに回転対称である。ケーシング１９は、ケーシング軸方向第１部分１９ａとケーシング軸方向第２部分１９ｂとを有する。第１肩部１９ｃが第１部分１９ａと第２部分１９ｂとを軸方向において区切っている。軸方向第１部分１９ａと第２部分１９ｂとは隣り合っている。軸方向第１部分１９ａの内径は、軸方向第２部分１９ｂの内径より小さい。ケーシング１９は、軸方向Ｘにおける軸方向第１部分１９ａの反対側に、軸方向第２部分１９ｂと隣り合うスカート部１９ｄを有する。よって、ケーシングは、軸方向Ｘに沿って順に、軸方向第１部分１９ａ、軸方向第２部分１９ｂ、およびスカート部１９ｄを有する。第２部分１９ｂの内径はスカート部１９ｄの内径より小さい。
【００６１】
第２ヘッド１８は、ケーシング軸方向第１部分１９ａ内を延び、軸方向において第１肩部１９ｃと協働する。第２ヘッド１８は、ケーシング軸方向第１部分１９ａから突出している。特に、この例では、基部２２ｃ、より詳細には肩部２２ｄが、ケーシング１９の第１肩部１９ｃと軸方向において協働する。第２パッド２２、より詳細には固定部２２ｂが、軸方向第１部分１９ａ内を軸方向に延び、第２パッド２２の遠位端２２ａが軸方向第１部分１９ａから、ひいてはケーシング１９から突出している。
【００６２】
支持体２１は、ケーシング１９の軸方向第２部分１９ｂに圧入され、基部２２ｃを閉じ込め、該基部２２ｃを第１肩部１９ｃに押しつける。第２パッド２２およびケーシング１９が伝導性材料でできているため、このように取り付ければ、少なくとも、肩部２２ｄと第１肩部１９ｃとが互いに押しあって協働することによって、ケーシング１９と第２パッド２２との間に電気的接触が確保される。
【００６３】
第１パッド２０は、溝２１ａに嵌ったカラー２０ｃによって支持体２１に固定される。支持体２１の溝２１ａがある部分は、第１パッド２０の固定部２０ｂが軸方向において支持体２１とケーシング１９のスカート部１９ｄとの間に閉じ込められるように、スカート部１９ｄ内を延びている。これにより、カラー２０ｃが溝２１ａ内に閉じ込められ、そうして第１パッド２０の支持体２１への取り付けが固定される。第１パッドの遠位端２０ａがスカート部１９ｃから、ひいてはケーシング１９から軸方向に突出することはもちろんである。
【００６４】
スカート部１９ｄは、第１パッド２０の固定部２０ｂと接触している。ケーシング１９および第１パッド２０が伝導性であるため、この構成により、ケーシング１９と第１パッド２０との間に電気的接触が確保される。
【００６５】
この例では、支持体２１は絶縁性材料でできている。一実施形態では、支持体２１は伝導性材料でできており、主な機能ではないが、第１パッド２０とケーシング１９との間に電気的接触を生じさせることにも寄与する。
【００６６】
ケーシング１９は、その外周に、先端部１９とボディ１２、この例ではボディ１２の把持部１３との間に電気的接触を生じさせるように構成された接触部材１９ｅ，１９ｆを有している。接触部材１９ｅ，１９ｆは、ケーシング１９と単一の部品を構成し、伝導性であり、金属、より詳細にはアルミニウムでできている。このように、ケーシング１９と接触部材１９ｅ，１９ｆとは、単一の材料でできた単一の部品を構成する。把持部１３は、伝導性であり、この例では金属、より詳細にはアルミニウムでできている。
【００６７】
より詳細には、接触部材１９ｅは、先端部１４が第１状態で取り付けられている場合に、把持部と先端部との間に電気的接触を生じさせるように構成されている。接触部材１９ｆは、先端部１４が第２状態で取り付けられている場合に、把持部と先端部との間に電気的接触を生じさせるように構成されている。この例では、接触部材１９ｅ，１９ｆは、先端部１４の径方向平面Ｐに関して互いに対称である。この例では、接触部材１９ｅ，１９ｆは円錐台形状であり、それぞれ第１ヘッド１６および第２ヘッド１８に向かって広がっている。これら円錐台形状のそれぞれの最大径は、把持部１３の内径と実質的に等しい。よって、先端部１４が第１状態にあるときには、接触部材１９ｅが把持部１３と電気的に接触し、一方、先端部１４が第２状態にあるときには、接触部材１９ｆが把持部１３と電気的に接触している。
【００６８】
よって、パッド２０，２２がケーシング１９に取り付けられるため、パッド２０，２２がケーシング１９と電気的に接触し、ケーシング１９が、ボディ１２の少なくとも一部、すなわち把持部１３と電気的に接触する。従って、先端部１４の第１状態では、第１パッド１６が把持部１３と電気的に接触し、一方、先端部１４の第２状態では、第２パッド１８が把持部１３と電気的に接触している。この例では、ケーシング１９と接触部材１９ｅ，１９ｆとが単一の伝導性材料でできた単一の部品を構成し、２つのパッド２０，２２が、先端部の状態に関係なく把持部と電気的に接触している。
【００６９】
接触部材１９ｅ，１９ｆが円錐台形状であることにより、先端部１４をボディ１２に組み付ける際に、先端部１４の挿入および案内を容易化することもできることに留意されたい。
【００７０】
さらに、接触部材１９ｅ，１９ｆは、先端部１４の外側へ径方向に突出する止めカラー１９ｇによって軸方向において互いに隔てられている。この止めカラー１９ｇは、先端部１４の第１状態および第２状態において、ボディ１２と、より詳細には把持部１３と接して協働する。この止めカラー１９ｇにより、破損を防ぐために、先端部１４のボディ１２への嵌まり込みを制限できる。さらに、このカラー１９ｇは、ケーシング１９と単一の部品を構成しており、そのため同じく伝導性である。従って、この止めカラー１９ｇは、ケーシング１９と把持部１３との間に電気的接触を生じさせることにも寄与する。
【００７１】
ケーシング１９は、その外周に、スナップ嵌め用環状凸部１９ｈ，１９ｉを有し、これらスナップ嵌め用環状凸部１９ｈ，１９ｉは、先端部１４が第１状態または第２状態で取り付けられる場合に、ボディ１２の対応凸部２３（図３参照）と協働する。スナップ嵌め用環状凸部１９ｈ，１９ｉはケーシング１９と単一の部品を構成する。このように、対応凸部２３が第１接続部となり、環状凸部１９ｈが、先端部が第１状態で取り付けられる場合に対応凸部２３と協働する第２接続部となり、環状凸部１９ｉが、先端部が第２状態で取り付けられる場合に対応凸部２３と協働する別の第２接続部となる。よって、先端部１４がボディ１２にスナップ嵌めによって取り付けられるので、使用者は先端部１４をボディ１２から容易に取り外すことができ、さらに、先端部１４を所望の状態で容易に再取り付けできる。
【００７２】
本発明を具体的な実施形態を挙げて説明したが、請求項によって定められる本発明の全体の範囲を逸脱しない限り、改良および変更をそれら実施形態に施し得ることは明らかである。特に、図示かつ／または説明した種々の実施形態の個々の特徴を組み合わせてさらなる実施形態を構成してもよい。従って、本明細書および図面は、限定的な意味ではなく、例示的な意味で考察されるべきである。
【００７３】
特に、第１ヘッドの構造は、第２ヘッドへ移し換え可能であり、第２ヘッドの構造は第１ヘッドへ移し換え可能である。
【図１】
0006474792.tif 000002
【図２】
0006474792.tif 000003
【図３】
0006474792.tif 000004
【図４】
0006474792.tif 000005
【図５】
0006474792.tif 000006
【図６】
0006474792.tif 000007
【図７】
0006474792.tif 000008